(57)【要約】     【課題】  本発明が解決する課題は、朝の忙しいときに、一連の化粧が従来と同じ効果を有し、化粧に必要な時間を短縮させる機能を有するシート体を提供する。    【解決手段】  不織布シートで構成されたシート体の、片面或は両面に力が加わると歪み、力が除かれると復元する突出部を有し、突出部の内側はホール部を有し、シート体の表裏を液剤が行き交う1つ以上の穴部を設け、液剤が表裏を行き交う毎に液剤に含まれる肌の汚れや老廃物がホール部の壁に効率的に吸着除去されるシート体で解決する。【選択図】図３
2019058325.tif 000002
【特許請求の範囲】
【請求項１】
不織布シートからなり、液剤を有するシート体であって、前記シート体は、前記液剤を溜める突出部と前記突出部に設けられた穴部とを備えたシート体
【請求項２】
前記突出部は、力が加えられると変形して前記液剤が通過し、力が除かれると復元されて肌の汚れを有する液剤が通過する請求項１に記載のパック用シート。
【請求項３】
前記シート体であって、顔の少なくとも一部を覆い貼り付けられる又は耳部にかけとめられる端部を有し貼り付けられる請求項１又は２に記載のパック用シート。
【請求項４】
前記突出部は、熱や培養の冶具でシート体が形成され、先端部が尖る円又は多角の錐体形状である請求項１と２と３に記載のシート体。
【請求項５】
前記不織布シートの機械方向 に対し、直線方向または斜め方向であって、曲線状又は直線状のミシン目状の切込み線を複数列有してなる請求項１と２と３に記載のシート体。
【発明の詳細な説明】
【技術分野】
【０００１】
本願発明は、従来の用法を省くシート体に関する。
【背景技術】
【０００２】
従来品に、不織布シートに錐体や球体が備えられ、化粧用の薬液を含浸させ、肌と接触させマッサージ等の美容効果が得られるフェイスマスクがある。
【０００３】
加えて、不織布からなるシート体に薬剤が含まれて保湿効果や汚れを取り除く効果が得られるシートがある。
【０００４】
しかしながら以下の特許文献に、本願発明が開示する不織布シートで構成されたシート体の、片面或は両面に液剤が溜められる突出部を有し、ホール部の壁に１つ以上の液剤が通過する穴部を設け、通過する毎に液剤に含まれる肌の汚れが取り除かれ吸着される発明の記述されていない。
【０００５】
特開２００７−２２２３６７号公報の、図３のbに示される段落［００１９］に「〜図３bに示すように、〜突起部２１を形成するようにしてもよい。」。本願は、化粧用法の時間を省くための、尖る突出部にホール部を形成し、ホール部に取り込まれる肌の汚れが含まれる液剤の、肌の汚れをホール部の壁の繊維に吸着させて取り除く発明なので異なります。
【０００６】
特開２０１５−１３０９００号公報の、フェイスマスクに備える穴部は、顔面の皮膚に化粧料等を適用してスキンケアを行うと共に、顔面の任意の箇所に適切にマッサージを行うことを両立することを目的としている発明である。本願は、化粧用法の時間を省くための、尖る突出部にホール部を形成し、ホール部に取り込まれる肌の汚れが含まれる液剤の、肌の汚れをホール部の壁の繊維に吸着させて取り除く発明なので異なります。
【０００７】
フェイスマスクには、両眼や口に対抗する部分には切り欠き孔や鼻部に対向する部分は切り欠き線を設ける。更には、左右双方の縁部に左右双方の耳部に掛け止めるための切り欠き線を有する端部を設け、これらは刃型で打ち抜くことによって形成されて、美容液の含浸や美容効果が得られる原料を含ませられ構成される。
【先行技術文献】
【特許文献】
【０００８】
【特許文献１】特開２００７−２２２３６７号公報
【特許文献２】特開２０１５−１３０９００号公報
【発明の概要】
【発明が解決しようとする課題】
【０００９】
本発明が解決する課題は、化粧に必要な用法及び時間を短縮させる機能を備えたシート体又はパック用シートを提供する。
【課題を解決するための手段】
【００１０】
「不織布シートからなり、液剤を有するシート体であって、シート体は、液剤を溜める突出部と突出部に設けられた穴部とを備えたシート体。」で課題を解決する。
【００１１】
更に好ましくは、シート体に有する機能を、顔の少なくとも一部に貼り付けられて覆うことができる又は耳部にかけとめられる機能を備えるパック用シートに応用し、一連の化粧効果が従来と同じ効果を有し、化粧に必要な時間が短縮できる。
【発明の効果】
【００１２】
シート体又はパック用シートは、液剤が溜められる、好ましくは、尖る突出部の構成により、肌の汚れ（メイクの残りや古い角質や老廃物）が取り除かれ、洗顔の効果や先部のマッサージ効果が得られながら、化粧に要する用法及び時間が省かれるので、例えば、朝の忙しい時間帯の時間が有効に活用できる。
【００１３】
本願発明の、シート体又はパック用シートは、貼り付けた際、マッサージ効果、肌の汚れ、メイクの残分を吸着させて除去する効果、古い角質を肌から取り除きシートに吸着させ除く効果、肌への整える効果、保湿の効果等、１つ以上の効果が得られ、肌が活性し、一層の生理的効果を有する。
【００１４】
シート体又はパック用シートの効果は、肌に対して上述の1つ以上の効果を有しているから、従来品と対比して用法に必要な時間が短縮される。
【００１５】
１つ以上の効果が得られる有利は、例えば、本願発明のシート体又はパック用シートは、洗顔とマッサージの効果が得られると貼り付ける前の洗顔とマッサージ美容の用法を省くことができる。
【００１６】
続いて、肌の自然界やメイクの残分を吸着させて除去する効果、古い角質を肌から取り除きシートに吸着させ除く効果が得られると、貼り付ける前の効果が得られる用法を省くことができる。
【００１７】
更に、肌への整えや保湿の効果が得られることは、整肌や保湿の用法を省くことができる。これら化粧用法の効果と時間短縮は、朝夕の忙しい人々の時間を有効に使える。
【図面の簡単な説明】
【００１８】
【図１】パック用シートの平面図
【図２】耳かけ部を有するパック用シートの平面図
【図３】突出部が肌に接するシート体の説明図
【図４】図２が貼り付けられた説明図
【図５】突出部を形成する治具の説明図
【図６】パック用シートを打ち抜く説明図
【発明を実施するための形態】
【００１９】
本願発明は、不織布シートで構成されたシート体図３に、片面或は両面に液剤が溜められる１つ以上の突出部符号３若しくは液剤が溜められる１つ以上の球状部符号７（以下、「突出部」という。）を有し、更に、突出部又は突出部近傍、若しくは球状部又は球状部近傍に１つ以上の穴部符号８が設けられている。
【００２０】
本願発明のシート体図３の構成は、以下に述べる効果が得られる薬事のシートである。例えば、顔の少なくとも一部（以下、「顔」という。）に貼り付けられるパック用シート図１、図２又はメイク落としシート又は洗顔シート又はアイマスクシート又は肌の火照りを鎮めるシート又は肌への保湿等の機能を有し、皮膚組織又は表情筋が刺激され生理的に促進し、効果が得られる薬事シートである。
【００２１】
突出部の内側は液剤が溜められるホール部符号６を有しており、シート体の表裏やホール部の壁を液剤が行き交う（通過する）1つ以上の穴部符号８が設け、液剤が行き交う（通過する）毎に液剤に含まれる肌の汚れがホール部の壁にぶつかり効率的に吸着除去されるシート体である。
【００２２】
特に、突出部に設けられる穴部の効果は、突出部に加える或は除かれる力の大小に比例し、穴部に液剤が効率的に表裏を行き交い（通過する）、液剤に含まれ取り除かれた毛穴や皮溝に有する皮脂、メイクの汚れ、肌の老廃物、肌の古い角質等（以下、「肌の汚れ」という。）が、ホールの壁にぶつかり、肌の汚れが効果的に繊維に吸着される。
【００２３】
突出部図３は、液剤が溜められるホール部を備え、ホール部に液剤が行き交う（通過する）１つ以上の穴部を有し、ホールは指の力が加えられると突出部が変形し溜められた液剤が排出され、指の力が除かれるとホールが復元され、ホールが復元するとホールに穴部を液剤が行き交い（通過する）肌の汚れを有する液剤が取り込まれ、液剤に有する肌の汚れがホールを構成する不織布シートに付着して取り除かれる。
【００２４】
突出部は、先部が肌に面しマッサージが行われるから、皮膚組織及び表情筋を刺激し、肌にハリと活力がよみがえり、定期的なターンオーバー等が行われ、生理的効果に有効である。
【００２５】
さらに、シート体に設けられる穴部の位置と数は、シート体の任意の位置に設けられ、好ましくは、突出部が備えられる領域に設けられ、１つ以上の穴部であり、効果的な位置に任意に設けられる。
【００２６】
図３の突出部は、円又は球体形状符号７、錐体形状符号３を有し、これらは形状の内側には液剤に有する肌の汚れを吸着させるためのホール部を設け、ホール部に１つ以上の穴部を備えられていることが望ましい。
【００２７】
穴部と突出部の製造工程は、本願発明の効果を有する位置に穴部を設けて、次に穴部近傍に突出部を設ける工程が好ましく、突出部に１つ以上の穴部が備えられことが望ましい。
【００２８】
液剤が通過する穴部は、不織布シートの、例えば、スパンレース等の、任意の製造工程において、針等が開ける穴部でもよく、又は、シート体の打ち抜き工程時に円又は多角形状又は切込み線等を冶具で形成されてもよい、例えば、打ち抜き時に抜き穴の一部（片）がシート体と繋がることが行程時にごみの発生が無く、廃棄コストが省かれる。
【００２９】
シート体の、片面或は両面に加わる指の力或は除かれる指の力は、肌方向に指の力が加わり突出部が歪み変形し、指の力が除かれると突出部が元の形状に復元される復元力を有する。突出部の先部は、肌方向に指の力が伝わりやすく尖る形状が好ましい。
【００３０】
化粧の用法に、マッサージ、洗顔、整肌、保湿、保護等がある。
【００３１】
本願発明のシート体は、液剤を有し、顔に貼り付けられることにより、化粧の用法の、マッサージ効果、肌の皮溝や毛穴に残るメイクや脂や古い角質を除く洗顔効果、肌を収斂させ整える整肌効果、肌に潤いを与える保湿効果等、１つ以上の効果が得られる。従って、シート体を貼り付ける用法は、前の効果が得られる用法を省くことができる。
【００３２】
本願発明の突出部は、シート体の片面或は両面に球部や錐体部等を設け、液剤が溜めることができる内側にホール部を設け、ホール部の壁に穴部を備え、顔に貼り付けられ、肌に接する突出部に指の腹や手のひら等の力（以下、「指の力」という。）が加わると変形し、指の力が取り除かれると元の形状に戻る復元力を有している。
【００３３】
液剤を有し穴部を備える突出部は、指の力が加えられる符号４と突出部は歪み符号５、力が除かれると歪みの突出部は元の突出部に復元し、一連の化粧が従来と同じ効果が得られ、化粧に必要な時間が短縮させられる。
【００３４】
突出部は、肌に接する液剤とシート体に含まれる液剤が、指の力が伝わり肌と逆側の面に液剤が行き交う（通過する）ための、突出部の壁に１つ以上の穴を有する。
【００３５】
突出部が形成される壁の任意の位置に有する穴部は、丸形、楕円、多角形状、切込み等の刃型又は針等（以下、「穴部」という。）により設けられ、穴部は完全に打ち抜かれた形状若しくはシート体と穴部の一部が繋がることが作業の省略に望ましい。
【００３６】
突出部が設けられる位置は、美容の用法に基づいて、額部符号１１、両耳部符号２０、両眼部符号１０周囲、両頬部符号１２、鼻部符号１３、口部符号１５周囲、顎部符号３２、喉部、首部等の、美容の効果が求められる企画の任意の位置に設けられる。
【００３７】
図３の、液剤が溜められる突出部の形状は、平面体よりも取り除かれる大きな面積を有する立体の突出部の形状が効率的であり、指の力の動きにより比例し、液剤を溜めるホールに有する穴から液剤の出し入れ（通過する）が行われ、押出し動きと液剤が肌への衝撃によって、突出部の壁に液剤の汚れが当たり付着できる。
【００３８】
図３の、球状、錐体形状等に有するホール部の壁は、波状、鋸等の形状に抵抗が生まれぶつかることで液剤に含まれる肌の汚れが不織布シートに付着しやすい。
【００３９】
突出部の変形が素早く行える有利は、シート体が肌符号９に面する側の液剤が逆の面の側に突出部に設けられた穴部を通過して素早く移動（通過）し、肌の汚れが含まれる液剤が突出部の壁に強く当たり不織布で構成される繊維に肌の汚れが付着されて除去され、皮膚の生理的作用を正しい方向に促すことができる。
【００４０】
用法の得られる効果は、顔や肌にシート体を貼り付けた際の効果であって、マッサージ効果、肌の毛穴や皮溝に残る自然界やメイクの残分を吸着させて除去する効果、古い角質を肌から取り除きシート体に吸着させ除く効果、肌を整える効果、肌に保湿を与える効果等の１つ以上の効果が得られる。
【００４１】
シート体による、１つ以上の効果の、マッサージの効果は、肌の皮膚組織と表情筋に刺激が与えられ、リンパ液の増量と衰えた表情筋に刺激が生理的改善の効果が得られ、シート体を貼り付ける前のマッサージ美容の用法を省くことができる。
【００４２】
シート体による、１つ以上の効果の、肌の汚れをシート体に吸着させ取り除く効果は、シート体を貼り付ける前の洗顔の美容用法を省くことができる。
【００４３】
シート体による、１つ以上の効果を得ることは、肌を整える効果、肌に保湿を与える効果が得られることは、化粧水による整肌や乳液やクリームによる保湿等の用法を省くことができる。
【００４４】
シート体による、１つ以上の得られる肌への効果と用法が省ける時間短縮は、朝夕の忙しい人々の時間を効率よりよく有効に使える、アウトドアや旅行先で多くの化粧用品を持ち運ぶことなく、本願発明のシート体を貼り付けることにより、簡単でより効率的な効果が得られる。
【００４５】
本願発明のシート体を顔以外の部位にあてがい、例えば、顔に貼り付ける用法を行うことで前述の1つ以上の効果が得ることができる。
【００４６】
液剤を溜められ突出した形状は、1つ以上の突出部の先端部が肌の方向に設けられ、先部の尖りは肌に面し刺激が与えられ、円柱や球状や立体形状の先が尖る等の円錐や多角錐の錐体形状を片面或は両面に有している。
【００４７】
更に、液剤が溜められた突出部に指の力が加わることで、突出部が素早く変形し肌の汚れが穴部を行き交い（通過し）効率的に肌の汚れが取り除かれて、肌に面する先部が快い刺激が与えられる球部形状や錐体形状や鋸形状が望まれる。
【００４８】
熱や培養等で形成された突出部は、化学繊維、自然繊維、自然素材、ゴム系等を有し、指圧や指の腹で押さえる用法において、シート体の上から肌に面する方向に指の力が加えられると、突出部の形状が歪み変形し、力が除かれると元の液剤が溜められる突出部形状に復元する。
【００４９】
肌に面して突出部を形成されて、肌に貼り付けて、シート体の、肌に面する方向に力が加えられると、本願発明の突出部は変形が容易で、変形と復元の美容用法が皮膚組織や表情筋に刺激を与え、リンパ液の増量等、肌のターンオーバーにより肌の活性や回復、改善につながる。
【００５０】
突出部の底部周囲に連続する溶着領域符号２１を加工すると突出部が安定し、指で押さえられて先端部が肌に正しく触れて、以下に述べる液剤がホールに溜められ、指により突出部に力が加わると、液剤が力強く突出部に設けられた穴より排出（通過）する。
【００５１】
図３の、変形した突出部が元の形に復元する弾力の回復は、自然繊維、化学繊維、ゴム系、自然素材等の絡みにより弾性回復力が得られ、押さえられる指の力がシート体の外側から加わり、突出部の先端が肌に面する方向に指の力が伝わり歪んで肌に心地よい。
【００５２】
本願発明の液剤が溜められ突出部を有するシート体は、1枚のシートで構成するのが好ましいが、１枚の不織布シートの片面もしくは両面のいずれかに、不織布シートや樹脂シートやゴムシート等に突出部を備えるシートを熱や粘着剤等で貼り合わせられる積層されるシート体であってもよい。
【００５３】
図５の、製造される工程は、例えば、熱を有する治具を不織布シート符号２６に当てつけて突出部を形成する、或は、上治具符号２４と下治具符号２５の間に不織布シートをはさみ、治具の動き符号２７により冶具の突出部符号２８により不織布シートに突出部が形成される。治具は、例えば、板状やロール状等で構成され、それぞれが任意に構成される。
【００５４】
更に、製造される工程は、例えば、バイオセルロース等、培養の工程で形成されるシート体は、図５の工程を基本にするとよい。
【００５５】
突出部の、容積を有し液剤が溜められるホール部の有利は、ホール部の先端と反対側の治具が抜かれた底辺が、肌と面して貼り付けられて、溜めるホールが弾性回復力を有し、壁に穴部を備えているから、力を加えることで形状は変形し、同時にホールに有する液剤が壁の穴から吐き出（通過）され、力が除かれると形状が復元されるから、吐き出された液剤の量と同じ分量の肌の汚れを有する液剤が壁の穴から通過し、溜めるホールに戻される。
【００５６】
シート体は、図１と図２と図５と図６に説明の、熱や打ち抜く刃型等により形成される。
【００５７】
シート体は、図５の、治具の突出部によって突出部が形成され、突出部の形状の治具が不織布シートから引き抜かれると、不織布シートには治具の突出部と相似の突出部が形成され、突出部には容積を有する液剤が溜められるホール部が形成される。
【００５８】
本願発明の、汚れが取り除かれ、促進される効果は、例えば、皮膚の弛み防止、筋肉（表情筋）への刺激、ツボへの刺激、毛穴の刺激、老廃物の除去、毛細血管の刺激、汗腺の刺激、皮脂腺の刺激、表皮の洗浄、皮膚のターンオーバー等を促進の、美容の効果が得られる。
【００５９】
シート体に設けられる本願発明の突出部は、上述に加えて、美容用法の効能効果が得られる任意の部位の、例えば、額の面や左右双方のこめかみの面や左右双方の両眼の周辺や左右双方のほほ部や左右双方の耳部や顎部や喉部や首元部等の任意に設けることができる。
【００６０】
突出部の先端部が向かう筋肉は、例えば、額の前頭筋、両眼の周囲の眼輪筋や側頭筋、鼻部の鼻筋、左右双方のほほ部の頬筋、口部の口輪筋や口角の筋肉、オトガイ筋、広頚筋（以下、「表情筋」という。）である。突出部を備える位置や部位は任意である。
【００６１】
肌や表情筋に面する方向の突出部は任意に設けられ、例えば、両眼の周囲やこめかみの領域、口部とほうれい線に対応する口部の両端部や口部の周縁に設ける、又は、周囲全周に溶着領域を帯状に設け、溶着領域に突出部を備えてもよい。
【００６２】
突部側と逆の面の窪みの部位の容積には液剤の増量を保持することは、従来品の目付と対比して少ない目付であっても、従来品と同等の液量を保持することができるから、シート体を構成する不織布シートのグラム数量が少なくなることで、コストダウンが図れる。
【００６３】
本願発明のシート体を、少なくとも顔の一部を覆う図１及び図２のパック用シートの企画に応じ、額部を設け、両眼に対向する切り欠き孔を設け、呼吸するための鼻の穴部には少なくとも１つの穴部やＵ字型の切り欠き線符号１４を設け、左右双方の鼻翼から鼻尖を経て鼻翼を結ぶ直線又は鼻部下端の曲線に沿った切り欠き線を設け、左右双方の縁部につまめるつまみ部符号２３を設ける。
【００６４】
両眼部に対向して、連続する切り欠き線又は不連続の切り欠き線と1つ以上の切り残し部を設け、蓋状のフラップなる形状にも本願の突出部の発明が適用される。更に、左右双方のほほ部を設ける。
【００６５】
口部には横長の楕円孔を設け、加齢の対策に口部周囲やほうれい線と表情筋の引き上げる等の対策に、パック用シートに口部に対向する相似の形状を設け、貼り付け引き上げても、打ち抜かれ備えられる形状に口部が嵌り引きあがれない。
【００６６】
本願発明の、口部周囲、ほうれい線、のど部、顎部をスムーズに引き上げて皮膚組織や又は表情筋に刺激が与えられ、少なくとも１つの切り欠きの楕円孔や１つ以上の、小孔や楕円や多角の穴等を設け、口部の形状に嵌らず引き上げがスムーズである。
【００６７】
更には、ほうれい線、皮膚組織、表情筋に効果的な、口部の両端部から下方向に向かうほうれい線に対応する領域に連続もしくは不連続からなるミシン目状の切り込み線複数列を設けるとよい。
【００６８】
図２のパック用シートは、少なくとも顔の一部に貼り付けられて、リフティング効果の継続はパック用シートの左右双方の左縁部符号１６と右縁部符号１７に1組以上の、左右双方の耳部に掛け止められる少なくとも１つの切り欠き孔符号２２を備えた耳掛け部符号２０を有する。
【００６９】
パック用シートの、不織布シートの打ち抜く方向符号２の好ましくは、図６の、少なくとも１本の巻きロール符号２９の(MD)不織布の機械方向の引っ張る縦方向符号３０に顔の鼻筋縦の方向を合わせ、図５の治具による熱加工と打ち抜きの工程により形成される。パック用シートの幅は、横幅方向符号３１である。
【００７０】
平面体は、１枚の不織布シートの平面視で構成された1枚のパック用シートからなる図１に切込み線符号１８と図２の左右双方の端部に耳部に掛け止めるための少なくとも1組の切り欠き線や切り欠き孔を有する端部を備える。
【００７１】
本発明の、少なくとも一部の顔を覆うパック用シートは、顔面から首元部までの領域を任意に覆うことができる形態を、例えば、複数のタイプの平面体に打ち抜かれ構成される。更には、耳部に掛け止める端部が設けられる。
【００７２】
本願発明の不織布シートは、選択が任意で熱加工が可能な、自然繊維、化学繊維、自然繊維と化学繊維、自然繊維と化学繊維と自然素材とゴム系等が絡み合わせられる。好ましくは、突出部が皮膚にソフトタッチな感触を与えることができる以下の素材が望まれる。
【００７３】
不織布シートは、以下の１つ以上の素材を任意に選択し、例えば、自然繊維のコットンやテンセルやパルプ等と化学繊維のポリエチレン、ポリエステルフタレート、ポリプロピレン、ナイロン、アクリル等の、双方の繊維を絡み合わせ、不織布シートの目付１０〜２００（ｇ／ｍｍ２）を任意に用いるとよい。
【００７４】
特に、肌の角質や汚れが欠き取られる機能を有する化学繊維の一部は、ポリエチレンテレフタレートやポリエチレン等で形成され、高圧水流で加工された樹脂繊維に角部（エッジ）を有し、残存する汚れや古い角質を角部（エッジ）により欠き取られる分割繊維が望ましい。
【００７５】
更には、肌の面により弾力性を与えるための自然素材の、例えば、バイオセルロースや弾力性を有するゴム系やストレッチ系（ポリウレタン等）、ゴム弾性を有するエラストマーによって、突出部の先端が、肌への感触がより気持ちよく伝わり肌への生理的な機能の改善、回復につながる。
【００７６】
更には、不織布シートを構成する繊維の表面に、液剤に含まれる汚れが吸着可能な角や窪みの形状を有する、或は、汚れをかき取るための、繊維にエッジの形状を有する分割繊維等が好ましい。自然素材の、肌への効果がある、例えば、炭等を練り込むとよい。不織布シートの種類や目付等の選択、加工は用途により任意である。
【００７７】
バイオセルロースやゼラチン等を上述冶具で、突出部と１つ以上の穴部を有するシート体を作るには、溶融させた原料あるいは培養などを前述の冶具の間に原料を流し込み不織布シートと同等のシート体を形成することが望ましい。
【００７８】
液剤は、薬事の、化粧品、医薬部外品、医薬品の効能効果が得られる、液状、ゲル状、クリーム状、パウダー状、ペースト状等である。
【００７９】
薬事以外の材料は、例えば、「冷感（体温、かぜ熱を下げる）：小麦粉＋水」、「温感、発汗（体温を上げる）：唐辛＋小麦粉＋水」、「美容（野菜）パック：キュウリのスライスパック」、「泥（クレイ）：泥パック」「炭の粉：皮脂や汚れや古い角質の吸着や臭いの吸着パック」等であり、薬事にふくまれない原料である。
【００８０】
本願発明のシート体と液剤との封入は、例えば、バリアを有する袋、チャック機能を有する袋、フラップなる蓋を有する袋や樹脂容器等（以下、包装体という）に封入されるとよい。シート体はドライの状態で包装体に封入されてもよい。
【００８１】
複数列設ける切込み線は、不織布シートの機械方向 (MD方向) 符号３０に鼻筋縦方向を合わせ、パック用シートが撃ち抜かれる方向に沿って直線方向または斜め方向であって、曲線状または直線状のミシン目状の切込み線を複数列有している。切込み線は、連続であっても不連続であってもよく、任意である。
【００８２】
本願発明に加えて、本願発明の出願人が既に出願した特許第４３５２４１６号公報、特許第４４９２９８０号公報、特許第５０６６７２２号公報、特許第５３４２０５６号公報、特許第５５５１８２１号公報、特許第５６７６８０４号公報、特許第５２５６５３７号公報、特許第５６５４７０７号公報、特許第５７３５６９４号公報の、液剤が含まれたシートを貼り付けることができる技術と併せることでより使用性が増すので何ら問題としない。
【実施例】
【００８３】
本願発明の液剤が溜められる、突出部のホール部の壁に穴部を備えたシート体又はパック用シートは、肌に貼り付けられ、指の力により、突出部の先端方向に力が加わり、マッサージ効果、肌の汚れを取り除く（洗顔）効果、肌を整える効果、保湿の効果等の１つ以上の効果が得られる。
【００８４】
メイク落としシートのシート体は、メイクを浮かせる液剤を有し、シート体を肌に面して、軽くなぞるだけで突出部や穴部の機能でスムーズに汚れが落とせる。
【００８５】
介護用のシートのシート体は、液剤に保湿剤や血行促進の原料を含ませ、肌に軽く当てさするようにふき取ることで突出部の先端の当たりが心地よく、マッサージ効果を得ながら肌に潤いが与えられる。
【００８６】
パック用シートのシート体を、全顔に貼り付ける形状、或は、左右双方に1組以上の耳に掛け止めることができる切り欠き孔を有し、端部を左右双方の耳部に掛け止めることで、宛がいながら化粧用法の、１つ以上の効果が得られる。
【００８７】
パック用シートの貼りつける時間は凡そ１５分程度が目安である。これらシート体は、包装体に記載された美容の用法に準ずる。
【符号の説明】
【００８８】
１    パック用シート
２    打ち抜き方向
３    錐体形状の突出部
４    力が加えられる
５    歪む突出部
６    液を溜めるホール部
７    球状部
８    穴部
９    肌
１０    両眼部
１１    額部
１２    ほほ部
１３    鼻部
１４    鼻部切り欠き線
１５    口部
１６    左縁部
１７    右縁部
１８    切込み線
１９    切り残し部
２０    耳かけ部
２１    溶着領域
２２    切り欠き孔
２３    つまみ部
２４    上治具
２５    下治具
２６    挟まれる不織布シート
２７    治具の動き
２８    冶具の突出部
２９    不織布ロール
３０    機械方向 (MD方向) 
３１    横幅方向
３２    顎部
３３    シート体
【図１】
2019058325.tif 000003
【図２】
2019058325.tif 000004
【図３】
2019058325.tif 000005
【図４】
2019058325.tif 000006
【図５】
2019058325.tif 000007
【図６】
2019058325.tif 000008
【手続補正書】
【提出日】平成29年11月27日(2017.11.27)
【手続補正１】
【補正対象書類名】明細書
【補正対象項目名】００２０
【補正方法】変更
【補正の内容】
【００２０】
本願発明のシート体図３の構成は、以下に述べる効果が得られる薬事のシートである。例えば、顔の少なくとも一部（以下、「顔」という。）に貼り付けられるパック用シート図１、図２又はメイク落としシート又は洗顔シート又はアイマスクシート又は肌の火照りを鎮めるシート又は肌への保湿等の化粧用法に用いられる機能を有し、皮膚組織又は表情筋が刺激され生理的に促進し、効果が得られる薬事シートである。
【手続補正２】
【補正対象書類名】明細書
【補正対象項目名】００５０
【補正方法】変更
【補正の内容】
【００５０】
突出部の底部周囲に連続する融合領域符号２１を加工すると突出部が安定し、指で押さえられて先端部が肌に正しく触れて、以下に述べる液剤がホールに溜められ、指により突出部に力が加わると、液剤が力強く突出部に設けられた穴より排出（通過）する。
【手続補正３】
【補正対象書類名】明細書
【補正対象項目名】００６１
【補正方法】変更
【補正の内容】
【００６１】
肌や表情筋に面する方向の突出部は任意に設けられ、例えば、両眼の周囲やこめかみの領域、口部とほうれい線に対応する口部の両端部や口部の周縁に設ける、又は、全周の少なくとも一部の領域に融合領域を設け、融合領域に突出部を備えてもよい。
【手続補正４】
【補正対象書類名】明細書
【補正対象項目名】００６８
【補正方法】変更
【補正の内容】
【００６８】
図２のパック用シートは、少なくとも顔の一部に貼り付けられて、リフティング効果の継続はパック用シートの左右双方の左縁部符号１６と右縁部符号１７に1組以上の、左右双方の耳部に掛け止められる少なくとも１つの切り欠き孔符号２２を備えた耳掛け部符号２０の領域の全域又は切り欠き孔の周縁全周を帯状又は切り欠き孔の周縁の少なくとも一部の領域に融合された融合領域符号２１を有する。すなわち、図１と図２に有する両眼部、鼻部、口部、耳掛け部のうち、切り欠かれ設けられた少なくとも１つの切り欠き孔の少なくとも一部の領域に融合された融合領域符号２１を有することが望ましい。融合領域は、パック用シートの縦方向或は横方向を補強し、撥水効果を有することで含侵された液剤を寄せ付けず近傍の肌や髪の毛を汚さない。
【手続補正５】
【補正対象書類名】明細書
【補正対象項目名】００８８
【補正方法】変更
【補正の内容】
【００８８】
１    パック用シート
２    打ち抜き方向
３    錐体形状の突出部
４    力が加えられる
５    歪む突出部
６    液を溜めるホール部
７    球状部
８    穴部
９    肌
１０    両眼部
１１    額部
１２    ほほ部
１３    鼻部
１４    鼻部切り欠き線
１５    口部
１６    左縁部
１７    右縁部
１８    切込み線
１９    切り残し部
２０    耳かけ部
２１    融合領域
２２    切り欠き孔
２３    つまみ部
２４    上治具
２５    下治具
２６    挟まれる不織布シート
２７    治具の動き
２８    冶具の突出部
２９    不織布ロール
３０    機械方向 (MD方向) 
３１    横幅方向
３２    顎部
３３    シート体
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
不織布シートからなり、液剤を有し、肌の少なくとも一部を覆い貼り付けることができ、先端が前記肌に面して接する１つ以上の突出部を片面又は両面のいずれかの面に有し、前記突出部の内側に前記液剤が溜められるホール部を有するシート体であって、
前記シート体は、前記突出部を形成する壁又は前記突出部の近傍に貫通孔を備えており、前記ホール部に力が加えられると変形し、或は力が除かれると復元され、前記ホール部の前記内側に有する前記液剤が前記貫通孔を通して前記シート体の表裏を行き交うことを特長とするシート体。
【請求項２】
前記突出部は、熱を有する冶具により形成され、先端部が円又は多角の錐体形状である請求項１に記載のシート体。
【請求項３】
前記シート体であって、顔の少なくとも一部を覆い貼り付けられる又は耳部にかけとめられる端部を有し、貼り付けられる請求項１に記載のパック用シート。
【請求項４】
前記不織布シートの機械方向 に対し、鼻筋縦方向を合わせ、曲線状又は直線状のミシン目状の切込み線を複数列有してなる請求項３に記載のパック用シート。